(57)【要約】【課題】ＰＢＸが有する保留転送機能を携帯電話で利用することが可能な通信方法及び通信システムを提供する。【解決手段】通信システム１は、携帯電話１１から発信される保留特番を、携帯ＮＷ網網１０とＩＰルータ網３０との間に配置された第１保留信号作成部１４、あるいは、ＩＰルータ網３０とＰＢＸ５０との間に配置された第２保留信号作成部４２で検知して保留信号に変換する。第１端末が構内電話５１、第２端末が構内電話５２の場合、ＩＰルータ網３０とＰＢＸ５０との間に配置された第２保留信号作成部４２が、保留特番が検出して保留信号に変換し、ＰＢＸ５０に保留信号を送信する。ＰＢＸ５０は、携帯電話１１と携帯電話１２との接続を保留する。【選択図】図１
2010252024.tif 000002
【特許請求の範囲】
【請求項１】
複数の携帯電話とＰＢＸの内線側に接続される複数の構内電話とが移動通信網および接続網を介して接続されるとともに、第１端末と通話中の携帯電話を第２端末に対して保留転送させて、前記第１端末と前記第２端末とを接続させる通信システムにおける通信方法であって、
前記携帯電話から送信される保留特番を受信する保留特番受信ステップと、
前記保留特番受信ステップにおいて受信された前記保留特番を保留信号に変換する保留信号変換ステップと、
前記保留信号変換ステップにおいて変換された前記保留信号に基づいて、前記携帯電話及び前記第１端末との接続を保留した後、前記第１端末と前記第２端末とを接続する保留転送ステップと、
を備えることを特徴とする、通信方法。
【請求項２】
前記保留転送ステップにおいて、前記ＰＢＸが前記保留信号に基づいて保留処理を行うとともにとともに、前記携帯電話及び前記第１端末との接続を保留させるステップを含んでいることを特徴とする、
請求項１に記載の通信方法。
【請求項３】
前記第１端末が前記ＰＢＸにある構内電話であるとき、前記保留信号変換ステップにおいて、前記移動通信網と前記接続網との間に配置される第１保留信号作成手段が、保留特番から保留信号に変換して出力し、前記出力された保留信号に基づいて生成された、保留処理を指示する保留ステータスに基づいて、前記接続網と前記ＰＢＸとの間に配置される第２保留信号作成手段が保留信号を生成して、前記ＰＢＸに送信し、
前記ＰＢＸは、前記送信された保留信号に基づいて保留処理を行う
ことを特徴とする、
請求項１または２に記載の通信方法。
【請求項４】
前記第１端末が前記ＰＢＸにある構内電話であるとき、前記保留信号変換ステップにおいて、前記接続網と前記ＰＢＸとの間に配置される第２保留信号作成手段が、保留特番から保留信号に変換して、変換した保留信号を前記ＰＢＸに対して送信するとともに、
前記ＰＢＸは、前記送信された保留信号に基づいて保留処理を行う
ことを特徴とする、
請求項１または２に記載の通信方法。
【請求項５】
前記第１端末及び前記第２端末が前記ＰＢＸにある構内電話である場合、
前記保留信号変換ステップにおいて、前記移動通信網と前記接続網との間に配置される第１保留信号作成手段が、保留特番から保留信号に変換して出力し、当該出力された保留信号に基づいて生成された保留ステータスを用いて、前記携帯電話および前記第１の端末を保留状態にさせるとともに
前記保留転送ステップにおいて、前記接続網と前記ＰＢＸとの間に配置される第２保留信号作成手段が、前記携帯端末から送信される前記第２呼の検知を契機として前記ＰＢＸを保留処理させた後、前記第２端末と接続するステップを含んでいることを特徴とする、
請求項１または２に記載の通信方法。
【請求項６】
複数の携帯電話とＰＢＸの内線側に接続される複数の構内電話とが移動通信網および接続網を介して接続されるとともに、第１端末と通話中の携帯電話を第２端末に対して保留転送させて、前記第１端末と前記第２端末とを接続させる通信システムであって、
前記携帯電話から送信される保留特番を受信する保留特番受信手段と、
前記保留特番受信手段において受信された前記保留特番を保留信号に変換する保留信号変換手段と、
前記保留信号変換手段において変換された前記保留信号に基づいて、前記携帯電話及び前記第１端末との接続を保留した後、前記第１端末と前記第２端末とを接続する保留転送手段と、
を備えることを特徴とする、通信システム。
【請求項７】
前記保留転送手段において、前記ＰＢＸが前記保留信号に基づいて保留処理を行うとともにとともに、前記携帯電話及び前記第１端末との接続を保留させることを特徴とする、
請求項６に記載の通信システム。
【請求項８】
前記第１端末が前記ＰＢＸにある構内電話であるとき、前記保留信号変換手段において、前記移動通信網と前記接続網との間に配置される第１保留信号作成手段が、保留特番から保留信号に変換して出力し、前記出力された保留信号に基づいて生成された、保留処理を指示する保留ステータスに基づいて、前記接続網と前記ＰＢＸとの間に配置される第２保留信号作成手段が保留信号を生成して、前記ＰＢＸに送信し、
前記ＰＢＸは、前記送信された保留信号に基づいて保留処理を行う
ことを特徴とする、
請求項６または７に記載の通信システム。
【請求項９】
前記第１端末が前記ＰＢＸにある構内電話であるとき、前記保留信号変換手段において、前記接続網と前記ＰＢＸとの間に配置される第２保留信号作成手段が、保留特番から保留信号に変換して、変換した保留信号を前記ＰＢＸに対して送信するとともに、
前記ＰＢＸは、前記送信された保留信号に基づいて保留処理を行う
ことを特徴とする、
請求項６または７に記載の通信システム。
【請求項１０】
前記第１端末及び前記第２端末が前記ＰＢＸにある構内電話である場合、
前記保留信号変換手段において、前記移動通信網と前記接続網との間に配置される第１保留信号作成手段が、保留特番から保留信号に変換して出力し、当該出力された保留信号に基づいて生成された保留ステータスを用いて、前記携帯電話および前記第１の端末を保留状態にさせるとともに、
前記保留転送手段において、前記接続網と前記ＰＢＸとの間に配置される第２保留信号作成手段が、前記携帯端末から送信される前記第２呼の検知を契機として前記ＰＢＸを保留処理させた後、前記第２端末と接続する
ことを特徴とする、
請求項６または７に記載の通信システム。
【発明の詳細な説明】
【技術分野】
【０００１】
本発明は、構内電話交換機（ＰＢＸ：Private BrancheXchange）の内線側に接続する携帯電話における通信方法及び通信システムに関する。
【背景技術】
【０００２】
従来、携帯電話網に構内電話交換機（以下、ＰＢＸと示す）と直収するサービスがキャリア各社から提案され、そのための技術が開示されている。例えば、特許文献１では、携帯電話からＰＢＸの専用線側へ接続し、外線発信を可能とする技術が開示されている。これによれば、通話相手への発番号表示をＰＢＸの外線番号とすることで、携帯電話番号をマスクする効果や携帯電話からの通信記録をＰＢＸで一元管理できる等の効果を得ることができる。
【先行技術文献】
【特許文献】
【０００３】
【特許文献１】特開２００６−３５２７３９号公報
【発明の概要】
【発明が解決しようとする課題】
【０００４】
しかしながら、上記特許文献１に開示された技術では、携帯電話からＰＢＸ経由で外線発信することは可能であっても、携帯電話からは保留信号を発信することができない。このため、携帯電話から保留転送操作ができないという問題がある。
【０００５】
本発明は、係る状況を鑑み、携帯電話から保留転送操作をすることが可能な通信方法及び通信システムを提供することを目的とする。
【課題を解決するための手段】
【０００６】
上記課題を解決するため、本発明の通信方法は、複数の携帯電話とＰＢＸの内線側に接続される複数の構内電話とが移動通信網および接続網を介して接続されるとともに、第１端末と通話中の携帯電話を第２端末に対して保留転送させて、第１端末と第２端末とを接続させる通信システムにおける通信方法であって、携帯電話から送信される保留特番を受信する保留特番受信ステップと、保留特番受信ステップにおいて受信された保留特番を保留信号に変換する保留信号変換ステップと、保留信号変換ステップにおいて変換された保留信号に基づいて、携帯電話及び第１端末との接続を保留した後、第１端末と第２端末とを接続する保留転送ステップと、を備えることを特徴とする。
【０００７】
また、本発明の通信システムは、複数の携帯電話とＰＢＸの内線側に接続される複数の構内電話とが移動通信網および接続網を介して接続されるとともに、第１端末と通話中の携帯電話を第２端末に対して保留転送させて、第１端末と第２端末とを接続させる通信システムであって、携帯電話から送信される保留特番を受信する保留特番受信手段と、保留特番受信手段において受信された保留特番を保留信号に変換する保留信号変換手段と、保留信号変換手段において変換された保留信号に基づいて、携帯電話及び第１端末との接続を保留した後、第１端末と第２端末とを接続する保留転送手段と、を備えることを特徴とする。
【０００８】
なお、ここでいう第１端末は、転送前に携帯電話と通話中の相手、第２端末は、携帯電話の保留転送先の相手をいう。
【０００９】
ここで、ＰＢＸの内線側に接続するとは、公衆交換電話網を介して接続するのではなく、例えば、接続網から接続手段を介して直接、ＰＢＸ配下の構内電話と接続することをいう。また、ＰＢＸとは、複数の構内電話を、公衆交換電話網を介して接続する際の中継装置をいい、従来のＰＢＸをはじめ、同様の機能をＩＰネットワーク上で達成するＩＰ−ＰＢＸも含む。また、ＤＴＭＦ（Dial Tone Multi Frequency）とは、プッシュ方式の電話機等でボタンを押すたびに発信される音をいう。なお、その音は、高音系４種類と低音系４種類とからそれぞれ１音ずつを組み合わされるので合計１６種類の音が表現される。
【００１０】
このような通信方法及び通信システムによれば、携帯電話から発信される保留特番が、保留信号に変換される。そして、携帯電話と第１端末とは、保留信号に基づいて、携帯電話と第１端末との接続が保留された後、第１端末と第２端末とが接続される。この結果、従来、携帯電話から保留信号を発信することができなかったため実現できなかった保留転送機能を実現することが可能となる。
【００１１】
また、本発明の通信方法では、保留転送ステップにおいて、ＰＢＸが保留信号に基づいて保留処理を行うとともにとともに、携帯電話及び第１端末との接続を保留させるステップを含んでいることが好ましい。
【００１２】
また、本発明の通信システムでは、保留転送手段において、ＰＢＸが保留信号に基づいて保留処理を行うとともにとともに、携帯電話及び第１端末との接続を保留させることが好ましい。
【００１３】
このような通信方法及び通信システムによれば、ＰＢＸにおいて携帯電話と第１端末との接続を保留される。このため、ＰＢＸが第２呼を検知しても、保留されている携帯電話から発信された第２呼と判定することができるので、第２呼を受信した際、不正呼として切断してしまうことを回避することができる。なお、ＰＢＸが保留信号を検知していない発ＩＤから第２呼の着信を受けた場合、ＰＢＸは成りすまし呼と判断するため切断する。
【００１４】
また、本発明の通信方法では、第１端末がＰＢＸにある構内電話であるとき、保留信号変換ステップにおいて、移動通信網と接続網との間に配置される第１保留信号作成手段が、保留特番から保留信号に変換して出力し、出力された保留信号に基づいて生成された、保留処理を指示する保留ステータスに基づいて、接続網とＰＢＸとの間に配置される第２保留信号作成手段が保留信号を生成して、ＰＢＸに送信し、ＰＢＸは、送信された保留信号に基づいて保留処理を行ってもよい。
【００１５】
また、本発明の通信システムでは、第１端末がＰＢＸにある構内電話であるとき、保留信号変換手段において、移動通信網と接続網との間に配置される第１保留信号作成手段が、保留特番から保留信号に変換して出力し、出力された保留信号に基づいて生成された、保留処理を指示する保留ステータスに基づいて、接続網とＰＢＸとの間に配置される第２保留信号作成手段が保留信号を生成して、ＰＢＸに送信し、ＰＢＸは、送信された保留信号に基づいて保留処理を行ってもよい。
【００１６】
このような通信方法及び通信システムによれば、移動通信網と接続網との間に配置される第１保留信号作成手段が、保留特番から保留信号に変換して出力する。さらに、第１保留信号作成手段とＰＢＸとの間において当該保留信号に基づいた保留ステータスがＰＢＸに送信され、ＰＢＸにおいて、携帯電話と第１端末との接続が保留される。このため、ＰＢＸが第２呼を検知しても、保留されている携帯電話から発信された第２呼と判定することができるので、第２呼を受信した際、不正呼として切断してしまうことを回避することができる。
【００１７】
また、本発明の通信方法では、第１端末がＰＢＸにある構内電話であるとき、保留信号変換ステップにおいて、接続網とＰＢＸとの間に配置される第２保留信号作成手段が、保留特番から保留信号に変換して、変換した保留信号を前記ＰＢＸに対して送信するとともに、ＰＢＸは、送信された保留信号に基づいて保留処理を行ってもよい。
【００１８】
また、本発明の通信システムでは、第１端末がＰＢＸにある構内電話であるとき、保留信号変換手段において、接続網とＰＢＸとの間に配置される第２保留信号作成手段が、保留特番から保留信号に変換して、変換した保留信号を前記ＰＢＸに対して送信するとともに、ＰＢＸは、送信された保留信号に基づいて保留処理を行ってもよい。
【００１９】
このような通信方法及び通信システムによれば、ＰＢＸの内線側に接続する方向におけるＰＢＸの直前の位置で保留特番が検出され、保留信号に変換される。このため、保留信号が直接ＰＢＸに送信され、ＰＢＸにおいて携帯電話と第１端末との接続を保留される。この結果、ＰＢＸが第２呼を検知しても、保留されている携帯電話から発信された第２呼と判定することができるので、第２呼を受信した際、不正呼として切断してしまうことを回避することができる。
【００２０】
また、本発明の通信方法では、第１端末及び第２端末がＰＢＸにある構内電話である場合、保留信号変換ステップにおいて、移動通信網と接続網との間に配置される第１保留信号作成手段が、保留特番から保留信号に変換して出力し、当該出力された保留信号に基づいて生成された保留ステータスを用いて、携帯電話および第１の端末を保留状態にさせるとともに、保留転送ステップにおいて、接続網とＰＢＸとの間に配置される第２保留信号作成手段が、携帯端末から送信される第２呼の検知を契機としてＰＢＸを保留処理させた後、第２端末と接続するステップを含んでいてもよい。
【００２１】
また、本発明の通信システムでは、第１端末及び第２端末がＰＢＸにある構内電話である場合、保留信号変換手段において、移動通信網と接続網との間に配置される第１保留信号作成手段が、保留特番から保留信号に変換して出力し、当該出力された保留信号に基づいて生成された保留ステータスを用いて、携帯電話および第１の端末を保留状態にさせるとともに、保留転送手段において、接続網とＰＢＸとの間に配置される第２保留信号作成手段が、携帯端末から送信される第２呼の検知を契機としてＰＢＸを保留処理させた後、第２端末と接続してもよい。
【００２２】
このような通信方法及び通信システムによれば、携帯電話と第１端末とが移動通信網内の交換機能により保留されている等、ＰＢＸの保留機能を使うことなく保留されている場合であっても、第２保留信号作成手段が、携帯電話からの第２呼検知を契機として、ＰＢＸを保留状態とさせた後に、携帯電話と第２端末とが接続される。このため、ＰＢＸが第２呼を検知しても、保留されている携帯電話から発信された第２呼と判定することができるので、第２呼を受信した際、不正呼として切断してしまうことを回避することができる。
【発明の効果】
【００２３】
本発明によれば、ＰＢＸが有する各種内線機能を携帯電話でも利用することが可能となる。
【図面の簡単な説明】
【００２４】
【図１】本発明の好適な第１実施形態にかかる通信システムの機能構成を示すブロック図である。
【図２】図１の通信システムにおける保留転送処理（第１端末が携帯電話、第２端末が構内電話の場合）を示したシーケンス図である。
【図３】図１の通信システムにおける保留転送処理（第１端末が構内電話、第２端末が携帯電話の場合）を示したシーケンス図である。
【図４】図１の通信システムにおける保留転送処理（第１端末が構内電話、第２端末が構内電話の場合）を示したシーケンス図である。
【図５】図１の通信システムにおける保留転送処理（構内電話と携帯電話とが通話中に、構内電話から携帯電話に保留転送して、携帯電話と携帯電話とを接続する場合）を示したシーケンス図１である。
【図６】図１の通信システムにおける保留転送処理（構内電話と携帯電話とが通話中に、構内電話から携帯電話に保留転送して、携帯電話と携帯電話とを接続する場合）を示したシーケンス図２である。
【図７】本発明の好適な第２実施形態にかかる通信システムの機能構成を示すブロック図である。
【図８】図７の通信システムにおける保留転送処理（第１端末が携帯電話、第２端末が構内電話の場合）を示したシーケンス図である。
【図９】図７の通信システムにおける保留転送処理（第１端末が構内電話、第２端末が携帯電話の場合）を示したシーケンス図１である。
【図１０】図７の通信システムにおける保留転送処理（第１端末が構内電話、第２端末が携帯電話の場合）を示したシーケンス図２である。
【図１１】図７の通信システムにおける保留転送処理（第１端末が構内電話、第２端末が構内電話の場合）を示したシーケンス図１である。
【図１２】図７の通信システムにおける保留転送処理（第１端末が構内電話、第２端末が構内電話の場合）を示したシーケンス図２である。
【図１３】本発明の好適な第３実施形態にかかる通信システムの機能構成を示すブロック図である。
【図１４】図１３の通信システムにおける保留転送処理（第１端末が携帯電話、第２端末が構内電話の場合）を示したシーケンス図である。
【図１５】図１３の通信システムにおける保留転送処理（第１端末が構内電話、第２端末が携帯電話の場合）を示したシーケンス図１である。
【図１６】図１３の通信システムにおける保留転送処理（第１端末が構内電話、第２端末が携帯電話の場合）を示したシーケンス図２である。
【図１７】図１３の通信システムにおける保留転送処理（第１端末が構内電話、第２端末が構内電話の場合）を示したシーケンス図１である。
【図１８】図１３の通信システムにおける保留転送処理（第１端末が構内電話、第２端末が構内電話の場合）を示したシーケンス図２である。
【発明を実施するための形態】
【００２５】
（第１実施形態）
本発明の好適な一実施形態に係る通信システム１について、図１〜図４を用いて説明する。なお、図面の説明においては、同一要素には同一符号を付し、重複する説明を省略する。図１は、本発明の一実施形態に係る通信システム１の構成概念図を示している。
【００２６】
通信システム１は、携帯電話ネットワーク網（移動通信網）(以下、携帯ＮＷ網と示す）１０とＩＰルータ網（接続網）２０とを介してＰＢＸ（PrivateBranch eXchange）５０の内線側に接続した携帯電話１１が、ある一つの端末と通話中に（以下、通話中の端末を「第１端末」と示す）、他の端末に保留転送して（以下、転送先の端末を「第２端末」と示す）、第１端末と第２端末とを接続させるシステムである。例えば、通信システム１では、携帯電話１１が、携帯電話１２（第１端末）との通話中に、構内電話５１（第２端末）に保留転送し、携帯電話１２と構内電話５１とを接続させる。なお、ＰＢＸ５０の内線側に接続するとは、ＰＳＴＮ（Public Switched Telephone Networks）６１を介して局線側に接続するのではなく、後述する、携帯内線ゲートウェイ（以下、「携帯内線ＧＷ」と示す）４０やインタフェイス群６０を介して内線側に接続することをいう。
【００２７】
通信システム１は、図１に示すように、保留特番発信部１１ａと、ＭＧＣ（MediaGateway Controller）１３と、第１保留信号作成部（保留特番受信手段、保留信号変換手段）１４と、ユーザ情報テーブル（ユーザ情報記憶手段）１５と、ＳＩＰサーバ（保留転送手段）２０と、携帯内線ＧＷ（保留転送手段）４０と、ＰＢＸ５０（保留転送手段）と、インタフェイス群６０とを含んで構成されている。
【００２８】
保留特番発信部１１ａは、携帯電話１１，１２に備わる一つの機能として搭載されており、保留特番を発信する部分である。なお、保留特番発信部１１ａは、保留特番にのみ特化した機能ではなく、殆どの端末に元々搭載されている、通話中にＤＴＭＦ信号を発信できる機能である。
【００２９】
ＭＧＣ１３は、携帯ＮＷ網とＩＰ網とを橋渡しする部分である。具体的には、デジタル符号化された音声トラフィックと、ＩＰルータ網で転送される音声パケットを相互に変換する。
【００３０】
第１保留信号作成部１４は、携帯電話１１から発信される保留特番を検知し、保留信号に変換する部分である。なお、第１保留信号作成部１４は、第１端末が携帯電話１２である場合に動作し、第１端末が構内電話５１あるいは構内電話５２である場合に動作しないで保留特番を通過させる。また、第１保留信号作成部１４は、後述するユーザ情報テーブル１５から対応情報を読み出して、携帯電話番号に対応する内線番号、あるいは、内線番号に対応する携帯電話番号に変換する部分である。
【００３１】
ユーザ情報テーブル１５は、携帯電話番号と内線番号と所属グループとの対応情報を記憶する部分である。ユーザ情報テーブル１５は、第１保留信号作成部１４によりアクセスされ対応情報が読み出される。
【００３２】
ＳＩＰサーバ２０は、第１端末が携帯電話１２である場合に、第１保留信号作成部１４において変換された保留信号の受信を契機として、携帯電話１１との接続を保留させると共に、第１端末に対して保留ステータス信号を送信する部分である。また、ＳＩＰサーバ２０は、携帯ＮＷ網、あるいは、携帯内線ＧＷ４０を呼び出してつなぐＩＰ呼制御を実行する部分である。
【００３３】
携帯内線ＧＷ４０は、ＶｏＩＰ−ゲートウェイ（以下、ＶｏＩＰ−ＧＷと示す）４１と、第２保留信号作成部４２とを有している。ＶｏＩＰ−ＧＷ４１は、ＩＰルータ網３０とＰＢＸ５０とを橋渡しする部分である。具体的には、ＩＰルータ網で転送される音声パケットとＰＢＸ５０で転送されるデジタル符号化された音声トラフィックとを相互に変換する。なお、ＰＢＸが、ＩＰ−ＰＢＸの場合は、ＩＰ（ＳＩＰ）信号同士の変換をする。第２保留信号作成部４２は、携帯電話１１から発信される保留特番を検知し、保留信号に変換する部分である。なお、第２保留信号作成部４２は、第１端末が構内電話５１あるいは構内電話５２である場合に動作する。
【００３４】
ＰＢＸ５０は、第２保留信号作成部４２において変換された保留信号の受信を契機として、携帯電話１１との接続を保留させると共に、第１端末に対して保留ステータス信号を送信する部分である。なお、ＰＢＸ５０は、第１端末が構内電話５１あるいは構内電話５２である場合に動作する。また、ＰＢＸ５０は、ＶｏＩＰ−ＧＷ４２からの信号を受信した場合には、内線交換処理を実行する。
【００３５】
インタフェイス群６０は、ＩＰルータ網３０とＰＢＸ５０との間に設けられており、ＳＩＰ（Session Initiation Protocol）、ＰＲＩ（Primary Rate Interface）、ＢＲＩ（BasicRate Interface）、ＯＤ（Out Band Dialling）等のインタフェイスがある。
【００３６】
以上、本実施形態の通信システム１は、携帯電話１１と通話中の第１端末が、携帯ＮＷ網１０の配下にある携帯電話１２であるか、ＰＢＸ５０配下の構内電話５１，５２であるかによって動作が異なる。以下、通信システム１における保留転送の処理内容について、第１端末が携帯電話１２、第２端末が構内電話５１の場合（ケース１）、第１端末が構内電話５１、第２端末が携帯電話１２の場合（ケース２）、第１端末が構内電話５１、第２端末が構内電話５２の場合（ケース３）に分けて説明する。
【００３７】
なお、後述する保留信号とは、受信先の機器等を保留状態させる信号、保留ステータスとは、送信先の機器等が保留状態であることを受信先に知らせるための信号をいう。
【００３８】
◆ケース１：第１端末が携帯電話１２、第２端末が構内電話５１の場合
【００３９】
ここでは、図２を用いて、携帯電話１２と通話中の携帯電話１１が、構内電話５１に保留転送する場合について説明する。
【００４０】
最初に、携帯電話１１は、保留特番（ＤＴＭＦ）を発信する（ステップＳ０１）と共に第２呼入力を受け付ける保留状態となる。第１保留信号作成部１４は、携帯間接続であることを携帯番号と内線番号と所属グループとの対応関係を示したユーザ情報テーブル１５から特定し保留特番待ち受け状態となっているので、ステップＳ０１において発信された保留特番を検出する（ステップＳ０２：保留特番受信ステップ）。
【００４１】
次に、第１保留信号作成部１４は、保留特番を保留信号に変換し、ＳＩＰサーバ２０に送信する（ステップＳ０３：保留信号変換ステップ）。ＳＩＰサーバ２０は、ステップＳ０３において送信された保留信号を受信して、ＳＩＰサーバ２０における保留処理を実行する（ステップＳ０４）。次に、ＳＩＰサーバ２０は、携帯電話１２に対して保留ステータスを送信する（ステップＳ０５）。携帯電話１２は、ステップＳ０５において送信された保留ステータスの受信を契機として保留音が流される（ステップＳ０６）。
【００４２】
ここで、携帯電話１１は、転送先である構内電話５１の内線番号の入力を受け付け、第２呼発信を実行する（ステップＳ０７：以下、ステップＳ２０まで保留転送ステップ）。このとき、携帯電話１１における発ＩＤは「０９０」で始まる携帯番号、着ＩＤは内線番号である。ＭＧＣ１３は、携帯ＮＷ網用のデータからＩＰルータ網用のデータへの変換を実行し（ステップＳ０８）、ステップＳ０７において発信された第２呼発信を第１保留信号作成部１４へ送信する（ステップＳ０９）。
【００４３】
次に、第１保留信号作成部１４は、ユーザ情報テーブル１５から対応情報を読み出して、第２呼発信の発ＩＤを内線番号に変換する（ステップＳ１０）。これにより、第２呼発信の発ＩＤと着ＩＤとは共に内線番号となった状態でＳＩＰサーバ２０に送信される（ステップＳ０８）。次に、ＳＩＰサーバ２０は、携帯内線ＧＷ４０を呼び出してつなぐＩＰ呼制御を実行し（ステップＳ１２）、携帯内線ＧＷ４０を構成するＶｏＩＰ−ＧＷ４１に、上記第２呼発信を送信する（ステップＳ１３）。次に、ＶｏＩＰ−ＧＷ４１は、ＳＩＰからＳＩＰ又は回線交換変換を実行し（ステップＳ１４）、第２呼発信をＰＢＸ５０に送信する（ステップＳ１５）。
【００４４】
次に、ＰＢＸ５０は、ステップＳ１５におけるＶｏＩＰ−ＧＷ４１からの信号を受信して、内線交換処理を実行する（ステップＳ１６）。これにより、第２呼発信は、構内電話５１に送信され（ステップＳ１７）、携帯電話１１と構内電話５１とが接続される（ステップＳ１８）。ここで、ＳＩＰサーバ２０における携帯電話１１との接続を切断し、保留処理を解除する（ステップＳ１９）ことにより、携帯電話１２と構内電話５１とが接続される（ステップＳ２０）。
【００４５】
以上、ステップＳ０１〜ステップＳ２０の保留転送処理が実行されることによって、携帯電話１２と通話中の携帯電話１１を構内電話５１に保留転送し、携帯電話１２と構内電話５１とを接続することができる。
【００４６】
◆ケース２：第１端末が構内電話５１、第２端末が携帯電話１２の場合
【００４７】
ここでは、図３を用いて、構内電話５１と通話中の携帯電話１１が、携帯電話１２に保留転送する場合について説明する。
【００４８】
最初に、携帯電話１１は、保留特番（ＤＴＭＦ）を発信する（ステップＳ２１）と共に第２呼入力を受け付ける保留状態となる。第１保留信号作成部１４は、携帯間接続でないことを携帯番号と内線番号と所属グループとの対応関係を示したユーザ情報テーブル１５から特定し保留特番待ち受け状態となっていないので、ステップＳ２１において発信された保留特番を通過させる（ステップＳ２２）。次に、ステップＳ２２において第１保留信号作成部１４を通過した保留特番は、携帯内線ＧＷ４０へ到達する（ステップＳ２３）。
【００４９】
携帯内線ＧＷ４０を構成する第２保留信号作成部（第２保留信号作成手段）４２は、保留特番を検出する（ステップＳ２４：保留特番受信ステップ）。第２保留信号作成部４２は、ステップＳ２４において検出した保留特番を保留信号に変換する（ステップＳ２５：保留信号変換ステップ）。次に、ＰＢＸ５０は、ステップＳ２５において変換された保留信号を受信して、ＰＢＸ５０における保留処理を実行する（ステップＳ２６）。次に、ＰＢＸ５０は、構内電話５１に対して保留ステータスを送信する（ステップＳ２７）。構内電話５１は、ステップＳ２７から送信された保留ステータスの受信を契機として保留音を流される（ステップＳ２８）。
【００５０】
ここで、携帯電話１１は、転送先である携帯電話１２の内線番号の入力を受け付け、第２呼発信を実行する（ステップＳ２９：以下、ステップＳ４２まで保留転送ステップ）。このとき、携帯電話１１における発ＩＤは「０９０」で始まる携帯番号、着ＩＤは内線番号である。ＭＧＣ１３は、携帯ＮＷ網用のデータからＩＰルータ網用のデータへの変換を実行し（ステップＳ３０）、ステップＳ２９において発信された第２呼発信を第１保留信号作成部１４へ送信する（ステップＳ３１）。
【００５１】
次に、第１保留信号作成部１４は、第２呼発信の発ＩＤを内線番号に変換する（ステップＳ３２）。これにより、第２呼発信の発ＩＤと着ＩＤとは共に内線番号となった状態でＳＩＰサーバ２０に送信される(ステップＳ３３)。次に、ＳＩＰサーバ２０は、ステップＳ３３において発信された第２呼発信を携帯ＮＷ網にある携帯電話（例えば、携帯電話１２）を呼び出してつなぐＩＰ呼制御を実行し（ステップＳ３４）、第１保留信号作成部１４に送信する（ステップＳ３５）。
【００５２】
次に、第１保留信号作成部１４は、着ＩＤの内線番号を携帯番号に変換する（ステップＳ３６）。これにより、第２呼発信の発ＩＤは内線番号、着ＩＤは携帯番号となった状態でＭＧＣ１３に送信される(ステップＳ３７)。ＭＧＣ１３は、ステップＳ３７において送信された第２呼発信を、ＩＰルータ網用のデータから携帯ＮＷ網用のデータへ変換し（ステップＳ３８）、携帯電話１２へ送信する（ステップＳ３９）。これにより、第２呼発信は、携帯電話１２に接続され、携帯電話１１と携帯電話１２とが接続される（ステップＳ４０）。ここで、ＰＢＸ５０における携帯電話１１との接続を切断し、保留処理を解除する（ステップＳ４１）ことにより、携帯電話１２と構内電話５１とが接続される（ステップＳ４２）。
【００５３】
以上、ステップＳ２１〜ステップＳ４２の保留転送処理が実行されることによって、構内電話５１と通話中の携帯電話１１を携帯電話１２に保留転送し、構内電話５１と携帯電話１２とを接続することができる。
【００５４】
◆ケース３：第１端末が構内電話５１、第２端末が構内電話５２の場合
【００５５】
ここでは、図４を用いて、構内電話５１と通話中の携帯電話１１が、構内電話５２に保留転送する場合について説明する。
【００５６】
最初に、携帯電話１１は、保留特番（ＤＴＭＦ）を発信する（ステップＳ５１）と共に第２呼入力を受け付ける保留状態となる。第１保留信号作成部１４は、携帯間接続でないことを携帯番号と内線番号と所属グループとの対応関係を示したユーザ情報テーブル１５から特定し保留特番待ち受け状態となっていないので、ステップＳ５１において発信された保留特番を通過させる（ステップＳ５２）。次に、ステップＳ５２において第１保留信号作成部１４を通過した保留特番は、携帯内線ＧＷ４０へ到達する（ステップＳ５３）。携帯内線ＧＷ４０を構成する第２保留信号作成部（第２保留信号作成手段）４２は、保留特番を検出する（ステップＳ５４：保留特番受信ステップ）。第２保留信号作成部４２は、ステップＳ５４において検出した保留特番を保留信号に変換する（ステップＳ５５：保留信号変換ステップ）。
【００５７】
次に、ＰＢＸ５０は、ステップＳ５５において変換された保留信号を受信して、ＰＢＸ５０における保留処理を実行する（ステップＳ５６）。次に、ＰＢＸ５０は、構内電話５１に対して保留ステータスを送信する（ステップＳ５７）。構内電話５１は、ステップＳ５７において送信された保留ステータスの受信を契機として保留音が流される（ステップＳ５８）。
【００５８】
ここで、携帯電話１１は、転送先である内線端末の内線番号の入力を受け付け、第２呼発信を実行する（ステップＳ５９：以下、ステップＳ７２まで保留転送ステップ）。このとき、携帯電話１１における発ＩＤは「０９０」で始まる携帯番号、着ＩＤは内線番号である。ＭＧＣ１３は、携帯ＮＷ網用のデータからＩＰルータ網用のデータへの変換を実行し（ステップＳ６０）、ステップＳ５９において発信された第２呼発信を第１保留信号作成部１４へ送信する（ステップＳ６１）。
【００５９】
次に、第１保留信号作成部１４は、第２呼発信の発ＩＤを内線番号に変換する（ステップＳ６２）。これにより、第２呼発信の発ＩＤと着ＩＤとは、共に内線番号となった状態でＳＩＰサーバ２０に送信される(ステップＳ６３)。次に、ＳＩＰサーバ２０は、ステップＳ６３において発信された第２呼発信をＰＢＸ５０構内にある構内電話（例えば、構内電話５２）を呼び出してつなぐＩＰ呼制御を実行し（ステップＳ６４）、携帯内線ＧＷ４０を構成するＶｏＩＰ−ＧＷ４１に送信する（ステップＳ６５）。次に、ＶｏＩＰ−ＧＷ４１は、ＳＩＰからＳＩＰ又は回線交換変換を実行し（ステップＳ６６）、第２呼発信をＰＢＸ５０に送信する（ステップＳ６７）。
【００６０】
次に、ＰＢＸ５０は、ステップＳ６７におけるＶｏＩＰ−ＧＷ４１からの信号を受信して、内線交換処理を実行する（ステップＳ６８）。なお、ステップＳ６８では、ステップＳ５６によって携帯電話１１との接続を記憶しているので、同じ携帯電話１１から同じ発ＩＤの第２呼を受信しても、その受信が不正呼とみなされることはない。これにより、携帯電話１１からの第２呼発信は、構内電話５２に送信され（ステップＳ６９）、携帯電話１１と構内電話５２とが接続される（ステップＳ７０）。ここで、ＰＢＸ５０における携帯電話１１との接続を切断し、保留処理を解除する（ステップＳ７１）ことにより、構内電話５１と構内電話５２とが接続される（ステップＳ７２）。
【００６１】
以上、ステップＳ５１〜ステップＳ７２の保留転送処理が実行されることによって、構内電話５１と通話中の携帯電話１１を構内電話５２に保留転送し、構内電話５１と構内電話５２とを接続することができる。
【００６２】
◆ケース４：構内電話５１と携帯電話１１とが通話中に、構内電話５１から携帯電話１２に保留転送して、携帯電話１１と携帯電話１２とを接続する場合
【００６３】
図５示すように、最初に、構内電話５１は、保留信号を送信する（ステップＳ４０１）。ＰＢＸ５０は、ステップＳ４０１において送信された保留信号を受信し、ＰＢＸ５０における保留処理を実行する（ステップＳ４０２）と共に第２呼入力を受け付ける保留状態となる。次に、ＰＢＸ５０は、携帯電話１１に対して保留ステータスを送信する（ステップＳ４０３）。携帯電話１１は、ステップＳ４０３において送信された保留ステータスの受信を契機として保留音が流される（ステップＳ４０４）。
【００６４】
ここで、構内電話５１は、転送先である携帯電話１２の内線番号の入力を受け付け、第２呼発信を実行する（ステップＳ４０５）。このとき、構内電話５１における発ＩＤ、着ＩＤは、共に内線番号である。ＰＢＸ５０は、ステップＳ４０５において送信された第２呼を受信して内線交換処理を実行し（ステップＳ４０６）、携帯内線ＧＷ４０に向けて送信する（ステップＳ４０７）。
【００６５】
携帯内線ＧＷ４０を構成するＶｏＩＰ−ＧＷ４１は、ステップＳ４０７において発信された第２呼を受信して、ＳＩＰ又は回線交換変換からＳＩＰへの変換を実行して（ステップＳ４０８）、ＳＩＰサーバ２０へ送信する（ステップＳ４０９）。なお、ステップＳ４０９の後、ＳＩＰサーバ２０は、同じ構内電話からの同一発ＩＤからの第２呼を受信することになる。しかし、ＳＩＰサーバ２０は、ＰＢＸ５０から接続される回線を専用線側へ収容しているため、発ＩＤが何であっても受け付ける。このため、ＳＩＰサーバ２０は、同一発ＩＤからの第２呼であっても不正呼として処理することはなく、構内電話５１との接続を切断することはない。
【００６６】
次に、ＳＩＰサーバ２０は、ステップＳ４０８において発信された第２呼発信を携帯ＮＷ網にある携帯電話（例えば、携帯電話１２）を呼び出してつなぐＩＰ呼制御を実行し（ステップＳ４１０）、第１保留信号作成部１４に送信する（ステップＳ４１１）。次に、第１保留信号作成部１４は、ステップＳ４１１において送信された第２呼を受信すると、ユーザ情報テーブル１５に着信側の内線番号に対応する携帯番号を問い合わせる（ステップＳ４１２）。次に、第１保留信号作成部１４は、携帯間接続でないことを携帯番号と内線番号と所属グループとの対応関係を示したユーザ情報テーブル１５から特定し保留特番待ち受け状態とならないように処理する（ステップＳ４１３）。
【００６７】
次に、第１保留信号作成部１４は、第２呼発信の着信側の内線番号を「０９０」で始まる携帯番号に変換し（ステップＳ４１４）、ＭＧＣ１３に向けて送信する（ステップＳ４１５）。次に、ＭＧＣ１３は、ＩＰルータ網用のデータから携帯ＮＷ網用のデータへの変換を実行し（ステップＳ４１６）、携帯電話１２へ送信する（ステップＳ４１７）。これにより、構内電話５１からの第２呼発信は、携帯電話１２に送信され、図６に示すように、構内電話５１と携帯電話１２とが接続される（ステップＳ４１８）。ここで、ＰＢＸ５０における構内電話５１との接続を切断し、保留処理を解除（ステップＳ４１９）ことにより、携帯電話１１と携帯電話１２とが接続される（ステップＳ７２）。
【００６８】
以上、ステップＳ４０１〜ステップＳ４２０の処理が実行されることによって、携帯電話１１と通話中の構内電話５１から携帯電話１２に保留転送することができる。また、本実施形態の通信システム１は、携帯電話からの保留転送を実現するものとして説明したが、ケース４に示すとおり、構内電話からの保留転送も問題なく行うことが可能である。
【００６９】
上記実施形態の通信システム１及び通信方法によれば、携帯電話１１から発信される保留特番が、携帯ＮＷ網網１０とＩＰルータ網３０との間に配置された第１保留信号作成部１４、あるいは、ＩＰルータ網３０とＰＢＸ５０との間に配置された第２保留信号作成部４２で検知され保留信号に変換される。携帯電話１１は、保留信号を受信したＳＩＰサーバ２０やＰＢＸ５０によって、携帯電話１１との接続が保留される。この結果、従来、携帯電話１１から保留信号を発信することができなかったため実現できなかった保留転送機能が、上記実施形態の通信システム１及び通信方法で実現することが可能となる。
【００７０】
また、上記実施形態の通信システム１及び通信方法によれば、ケース３の場合、ＰＢＸ５０の内線側に接続する方向におけるＰＢＸ５０の直前の位置、すなわち、図１に示す第２保留信号作成部４２において保留特番が検出され保留信号に変換される。このため、保留信号を直接ＰＢＸ５０に送信することができるので、ＰＢＸ５０において携帯電話１１との接続を保留させることができる。この結果、第１端末が構内電話５１、第２端末が構内電話５２のような場合であっても、保留状態にある発ＩＤと同じ携帯電話１１から発信された第２呼を不正呼として切断してしまうことを回避することができる。
【００７１】
なお、ここでいうＰＢＸ５０における保留処理とは、第２呼を不正呼として処理しないために、接続元と接続先とを記憶することをいう。
（第２実施形態）
【００７２】
本発明の好適な一実施形態に係る通信システム１０１について、図７〜図１２を用いて説明する。第２実施形態の通信システム１０１は、第１保留信号作成部１１４でのみ保留特番を保留信号に変換する点で、第１端末が携帯電話１２か構内電話５１，５２であるかによって、保留特番を保留信号に変換する位置を変える（第１保留信号作成部１４か第２保留信号作成部４２）第１実施形態の通信システム１とは異なる。また、第２実施形態の携帯内線ＧＷ１４０における保留信号作成部１４１及びＶｏＩＰ−ＧＷ１４２の配置は、第１実施形態の通信システム１の携帯内線ＧＷ４０における配置と異なる。以下、図面の説明においては、同一要素には同一符号を付し、重複する説明を省略する。
【００７３】
図７は、本発明の一実施形態に係る通信システム１０１の構成概念図を示している。通信システム１０１は、図７に示すように、保留特番発信部１１ａと、ＭＧＣ１３と、第１保留信号作成部（保留特番受信手段、保留信号変換手段）１１４と、ユーザ情報テーブル１５と、ＳＩＰサーバ（保留転送手段）１２０と、携帯内線ＧＷ（保留転送手段）１４０と、ＰＢＸ（保留転送手段）１５０と、インタフェイス群６０とを含んで構成されている。
【００７４】
第１保留信号作成部１１４は、携帯電話１１から発信される保留特番を検知し、保留信号に変換する部分である。また、第１保留信号作成部１４は、後述するユーザ情報テーブル１５から対応情報を読み出して、携帯電話番号に対応する内線番号、あるいは、内線番号に対応する携帯電話番号に変換する部分である。
【００７５】
ＳＩＰサーバ１２０は、第１保留信号作成部１４において変換された保留信号の受信を契機として、携帯電話１１との接続を保留させると共に、第１端末に対して保留ステータス信号を送信する部分である。また、ＳＩＰサーバ１２０は、携帯ＮＷ網、あるいは、携帯内線ＧＷ１４０を呼び出してつなぐＩＰ呼制御を実行する部分である。
【００７６】
携帯内線ＧＷ１４０は、第２保留信号作成部（第２保留信号作成手段）１４１とＶｏＩＰ−ＧＷ１４２とを有している。第２保留信号作成部１４１は、ＳＩＰサーバ１２０から発信される保留ステータスを検知し、保留信号に変換する部分である。なお、第２保留信号作成部１４１は、常に保留ステータスの受付状態にあるが、第１端末が構内電話５１あるいは構内電話５２である場合に動作する。ＶｏＩＰ−ＧＷ１４２は、ＩＰルータ網３０とＰＢＸ１５０とを橋渡しする部分である。具体的には、ＩＰルータ網３０で転送される音声パケットとＰＢＸ１５０で転送されるデジタル符号化された音声トラフィックとを相互に変換する。
【００７７】
ＰＢＸ１５０は、第２保留信号作成部１４１において変換された保留信号の受信を契機として、携帯電話１１との接続を保留させると共に、第１端末に対して保留ステータス信号を送信する部分である。なお、ＰＢＸ１５０は、第１端末が構内電話５１あるいは構内電話５２である場合に動作する。また、ＰＢＸ１５０は、ＶｏＩＰ−ＧＷ１４２からの信号を受信した場合には、内線交換処理を実行する（ステップＳ１１６）。
【００７８】
以上、本実施形態の通信システム１０１は、携帯電話１１と通話中の第１端末が、携帯ＮＷ網１０の配下にある携帯電話１２であるか、ＰＢＸ１５０配下の構内電話５１，５２であるかによって動作が異なる。以下、通信システム１０１における保留転送の処理内容について、第１端末が携帯電話１２、第２端末が構内電話５１の場合（ケース１）、第１端末が構内電話５１、第２端末が携帯電話１２の場合（ケース２）、第１端末が構内電話５１、第２端末が構内電話５２の場合（ケース３）に分けて説明する。
【００７９】
なお、後述する保留信号とは、受信先の機器等を保留状態させる信号、保留ステータスとは、送信先の機器等が保留状態であることを知らせるための信号をいう。
【００８０】
◆ケース１：第１端末が携帯電話１２、第２端末が構内電話５１の場合
【００８１】
ここでは、図８を用いて、携帯電話１２と通話中の携帯電話１１が、構内電話５１に保留転送する場合について説明する。
【００８２】
最初に、携帯電話１１は、保留特番（ＤＴＭＦ）を発信する（ステップＳ１０１）と共に第２呼入力を受け付ける保留状態となる。第１保留信号作成部１１４は、ステップＳ１０１において発信された保留特番を検出する（ステップＳ１０２：保留特番受信ステップ）。
【００８３】
次に、第１保留信号作成部１１４は、保留特番を保留信号に変換し、ＳＩＰサーバ１２０に送信する（ステップＳ１０３：保留信号変換ステップ）。ＳＩＰサーバ１２０は、ステップＳ１０３において送信された保留信号を受信して、ＳＩＰサーバ１２０における保留処理を実行する（ステップＳ１０４）。次に、ＳＩＰサーバ１２０は、携帯電話１２に対して保留ステータスを送信する（ステップＳ１０５）。携帯電話１２は、ステップＳ１０５において送信された保留ステータスの受信を契機として保留音が流される（ステップＳ１０６）。
【００８４】
ここで、携帯電話１１は、転送先である内線端末の内線番号の入力を受け付け、第２呼発信を実行する（ステップＳ１０７：以下、ステップＳ１２０まで保留転送ステップ）。このとき、携帯電話１１における発ＩＤは「０９０」で始まる携帯番号、着ＩＤは内線番号である。ＭＧＣ１３は、携帯ＮＷ網用のデータからＩＰルータ網用のデータへの変換を実行し（ステップＳ１０８）、ステップＳ１０７において発信された第２呼発信を第１保留信号作成部１１４へ送信する（ステップＳ１０９）。
【００８５】
次に、第１保留信号作成部１１４は、第２呼発信の発ＩＤを内線番号に変換する（ステップＳ１１０）。これにより、第２呼発信の発ＩＤと着ＩＤとは、共に内線番号となった状態でＳＩＰサーバ１２０に送信される（ステップＳ１１１）。次に、ＳＩＰサーバ１２０は、携帯内線ＧＷ１４０を呼び出してつなぐＩＰ呼制御を実行し（ステップＳ１１２）、携帯内線ＧＷ４０を構成するＶｏＩＰ−ＧＷ１４２に送信する（ステップＳ１１３）。次に、ＶｏＩＰ−ＧＷ１４２は、ＳＩＰからＳＩＰ又は回線交換変換を実行し（ステップＳ１１４）、第２呼発信をＰＢＸ１５０に送信する（ステップＳ１１５）。
【００８６】
次に、ＰＢＸ１５０は、ステップＳ１１５において送信されたＶｏＩＰ−ＧＷ１４２からの信号を受信して、内線交換処理を実行する（ステップＳ１１６）。これにより、第２呼発信は、構内電話５１に送信され（ステップＳ１１７）、携帯電話１１と構内電話５１とが接続される（ステップＳ１１８）。ここで、ＳＩＰサーバ１２０における携帯電話１１との接続を切断し、保留処理を解除する（ステップＳ１１９）ことにより、携帯電話１２と構内電話５１とが接続される（ステップＳ１２０）。
【００８７】
以上、ステップＳ１０１〜ステップＳ１２０の保留転送処理が実行されることによって、携帯電話１２と通話中の携帯電話１１を構内電話５１に保留転送し、携帯電話１２と構内電話５１とを接続することができる。
【００８８】
◆ケース２：第１端末が構内電話５１、第２端末が携帯電話１２の場合
【００８９】
ここでは、図９、図１０を用いて、構内電話５１と通話中の携帯電話１１が、携帯電話１２に保留転送する場合について説明する。
【００９０】
図９に示すように、最初に、携帯電話１１は、保留特番（ＤＴＭＦ）を発信する（ステップＳ１２１）と共に第２呼入力を受け付ける保留状態となる。第１保留信号作成部（第１保留信号作成手段）１１４は、ステップＳ１２１において発信された保留特番を検出する（ステップＳ１２２：保留特番受信ステップ）。
【００９１】
次に、第１保留信号作成部１１４は、保留特番を保留信号に変換し、ＳＩＰサーバ１２０に送信する（ステップＳ１２３：保留信号変換ステップ）。ＳＩＰサーバ１２０は、ステップＳ１２３において送信された保留信号を受信して、ＳＩＰサーバ１２０における保留処理を実行する（ステップＳ１２４）。次に、ＳＩＰサーバ１２０は、携帯内線ＧＷ１４０を形成する第２保留信号作成部（第２保留信号作成手段）１４１に対して保留ステータスを送信する（ステップＳ１２５）。
【００９２】
次に、第２保留信号作成部１４１は、ステップＳ１２５において送信された保留信号ステータスを検出する（ステップＳ１２６）。次に、第２保留信号作成部１４１は、保留ステータスを検知して、その保留ステータスを保留信号に変換し、ＰＢＸ１５０に送信する（ステップＳ１２７）。
【００９３】
次に、ＰＢＸ１５０は、ステップＳ１２７において変換された保留信号を受信して、ＰＢＸ１５０における保留処理を実行する（ステップＳ１２８）。次に、ＰＢＸ１５０は、構内電話５１に対して保留ステータスを送信する（ステップＳ１２９）。構内電話５１は、ステップＳ１２９において送信された保留ステータスの受信を契機として保留音が流される（ステップＳ１３０）。
【００９４】
ここで、携帯電話１１は、転送先である構内電話５１の内線番号の入力を受け付けし、第２呼発信を実行する（ステップＳ１３１：以下、ステップＳ１４６まで保留転送ステップ）。このとき、携帯電話１１における発ＩＤは「０９０」で始まる携帯番号、着ＩＤは内線番号である。ＭＧＣ１３は、携帯ＮＷ網用のデータからＩＰルータ網用のデータへの変換を実行し（ステップＳ１３２）、ステップＳ１３１において発信された第２呼発信を第１保留信号作成部１１４へ送信する（ステップＳ１３３）。
【００９５】
次に、第１保留信号作成部１１４は、第２呼発信の発ＩＤを内線番号に変換する（ステップＳ１３４）。これにより、第２呼発信の発ＩＤと着ＩＤとは、共に内線番号となった状態でＳＩＰサーバ１２０に転送される（ステップＳ１３４）。次に、ＳＩＰサーバ１２０は、ステップＳ１３４において発信された第２呼発信を携帯ＮＷ網にある携帯電話（例えば、携帯電話１２）を呼び出してつなぐＩＰ呼制御を実行し（ステップＳ１３６）、第１保留信号作成部１１４に転送する（ステップＳ１３７）。
【００９６】
次に、第１保留信号作成部１１４は、ステップＳ１３６におけるＩＰ呼処理を受けて、着ＩＤの内線番号を携帯番号に変換する（ステップＳ１３８）。これにより、第２呼発信の発ＩＤは内線番号、着ＩＤは携帯番号となった状態でＭＧＣ１３に送信される（ステップＳ１３９）。ＭＧＣ１３は、ステップＳ１３９において送信された第２呼発信を、ＩＰルータ網用のデータから携帯ＮＷ網用のデータへ変換し（ステップＳ１４０）、携帯電話１２へ送信する（ステップＳ１４１）。これにより、第２呼発信は、携帯電話１２に接続され、携帯電話１１と携帯電話１２とが接続される（ステップＳ１４２）。ここで、図１０に示すように、ＳＩＰサーバ１２０における携帯電話１１との接続を切断し、保留処理を解除する（ステップＳ１４３）ことにより、携帯電話１１と携帯電話１２とがＰＢＸ１５０経由で接続される（ステップＳ１４４）。次に、図１０に示すように、ＰＢＸ１５０におけるＳＩＰサーバ１２０との接続を切断し、保留処理を解除する（ステップＳ１４５）ことにより、携帯電話１２と構内電話５１とが接続される（ステップＳ１４６）。
【００９７】
以上、ステップＳ１２１〜ステップＳ１４６の保留転送処理が実行されることによって、構内電話５１と通話中の携帯電話１１を携帯電話１２に保留転送し、構内電話５１と携帯電話１２とを接続することができる。
【００９８】
◆ケース３：第１端末が構内電話５１、第２端末が構内電話５２の場合
【００９９】
ここでは、図１１、図１２を用いて、構内電話５１と通話中の携帯電話１１が、構内電話５２に保留転送する場合について説明する。
【０１００】
図１１に示すように、最初に、携帯電話１１は、保留特番（ＤＴＭＦ）を発信する（ステップＳ１５１）と共に第２呼入力を受け付ける保留状態となる。第１保留信号作成部（第１保留信号作成手段）１１４は、ステップＳ１５１において発信された保留特番を検出する（ステップＳ１５２：保留特番受信ステップ）。
【０１０１】
次に、第１保留信号作成部１１４は、保留特番を保留信号に変換し、ＳＩＰサーバ１２０に送信する（ステップＳ１５３：保留信号変換ステップ）。ＳＩＰサーバ１２０は、ステップＳ１５３において送信された保留信号を受信して、ＳＩＰサーバ１２０における保留処理を実行する（ステップＳ１５４）。次に、ＳＩＰサーバ１２０は、携帯内線ＧＷ１４０を形成する第２保留信号作成部（第２保留信号作成手段）１４１に対して保留ステータスを送信する（ステップＳ１５５）。
【０１０２】
次に、第２保留信号作成部１４１は、ステップＳ１５５において送信された保留信号ステータスを検出する（ステップＳ１５６）。次に、第２保留信号作成部１４１は、保留ステータスを検知して、その保留ステータスを保留信号に変換し、ＰＢＸ１５０に送信する（ステップＳ１５７）。
【０１０３】
次に、ＰＢＸ１５０は、ステップＳ１５７において変換された保留信号を受信して、ＰＢＸ１５０における保留処理を実行する（ステップＳ１５８）。次に、ＰＢＸ１５０は、構内電話５１に対して保留ステータスを送信する（ステップＳ１５９）。構内電話５１は、ステップＳ１５９において送信された保留ステータスの受信を契機として保留音が流される（ステップＳ１５０）。
【０１０４】
ここで、携帯電話１１は、転送先である構内電話５２の内線番号の入力を受け付けし、第２呼発信を実行する（ステップＳ１６１：以下、ステップＳ１７６まで保留転送ステップ）。このとき、携帯電話１１における発ＩＤは「０９０」で始まる携帯番号、着ＩＤは内線番号である。ＭＧＣ１３は、携帯ＮＷ網用のデータからＩＰルータ網用のデータへの変換を実行し（ステップＳ１６２）、ステップＳ１６１において発信された第２呼発信を第１保留信号作成部１１４へ送信する（ステップＳ１６４）。
【０１０５】
次に、第１保留信号作成部１１４は、第２呼発信の発ＩＤを内線番号に変換する（ステップＳ１６４）。これにより、第２呼発信の発ＩＤと着ＩＤとは共に内線番号となった状態でＳＩＰサーバに転送される(ステップＳ１６５)。次に、ＳＩＰサーバ１２０は、ステップＳ１６５において発信された第２呼発信をＰＢＸ１５０構内にある構内電話（例えば、構内電話５２）を呼び出してつなぐＩＰ呼制御を実行し（ステップＳ１６６）、携帯内線ＧＷ１４０を構成するＶｏＩＰ−ＧＷ１４２に送信する（ステップＳ１６７）。次に、ＶｏＩＰ−ＧＷ１４２は、ＳＩＰからＳＩＰ又は回線交換変換を実行し（ステップＳ１６８）、第２呼発信をＰＢＸ１５０に送信する（ステップＳ１６９）。
【０１０６】
次に、ＰＢＸ１５０は、ステップＳ１６９において送信された信号を受信して、図１２に示すように、内線交換処理を実行する（ステップＳ１７０）。なお、ステップＳ１７０では、ステップＳ１５８によって携帯電話１１との接続を記憶しているので、同じ携帯電話１１から同じ発ＩＤの第２呼を受信しても、その受信が不正呼とみなされることはない。これにより、第２呼発信は、構内電話５２に送信され（ステップＳ１７１）、携帯電話１１と構内電話５２とが接続される（ステップＳ１７２）。ここで、ＳＩＰサーバ１２０における携帯電話１１との接続を切断し、保留処理を解除する（ステップＳ１７３）ことにより、携帯電話１１と構内電話５２とが接続される（ステップＳ１７４）。次に、ＰＢＸ１５０におけるＳＩＰサーバ１２０との接続を切断し、保留処理を解除する（ステップＳ１７５）ことにより、構内電話５２と構内電話５１とが接続される（ステップＳ１７６）。
【０１０７】
以上、ステップＳ１５１〜ステップＳ１７６の保留転送処理が実行されることによって、構内電話５１と通話中の携帯電話１１を構内電話５２に保留転送し、構内電話５１と構内電話５２とを接続することができる。
【０１０８】
上記実施形態の通信システム１０１及び通信方法によれば、携帯電話１１から発信される保留特番が、携帯ＮＷ網網１０とＩＰルータ網３０との間で検知され保留信号に変換される。携帯電話１１は、保留信号を受信したＳＩＰサーバ１２０やＰＢＸ１５０によって、携帯電話１１との接続が保留される。この結果、従来、携帯電話１１から保留信号を発信することができなかったため実現できなかった保留転送機能が、上記実施形態の通信システム１０１及び通信方法で実現することが可能となる。
【０１０９】
また、上記実施形態の通信システム１０１及び通信方法によれば、ＳＩＰサーバ１２０において携帯電話１１との接続が保留された場合、ＳＩＰサーバ１２０とＰＢＸ１５０との間に配置された第２保留信号作成部１４１が、ＳＩＰサーバ１２０から送信された保留ステータスを保留信号に変換する。このため、ＰＢＸ１５０に保留信号が送信され、ＰＢＸ１５０において携帯電話１１と構内電話５１との接続が保留される。この結果、第１端末が構内電話５１、第２端末が構内電話５２の場合であっても、ＰＢＸ１５０が、保留状態にある発ＩＤと同じ携帯電話１１から発信された第２呼を不正呼として切断してしまうことを回避することができる。
【０１１０】
なお、ここでいうＰＢＸ１５０における保留処理とは、第２呼を不正呼として処理しないために、接続元と接続先とを記憶することをいう。
（第３実施形態）
【０１１１】
本発明の好適な一実施形態に係る通信システム２０１について、図１３〜図１８を用いて説明する。第３実施形態の通信システム２０１と第２実施形態の通信システム１０１では、第２保留信号作成部２４１と第２保留信号作成部１４１とにおける処理内容が互いに異なるだけで、各要素の配置については異なるところはない。以下の図面の説明においては、同一要素には同一符号を付し、重複する説明を省略する。図１３は、本発明の一実施形態に係る通信システム２０１の構成概念図を示している。
【０１１２】
通信システム２０１は、図１３に示すように、保留特番発信部１１ａと、ＭＧＣ１３と、第１保留信号作成部（保留特番受信手段、保留信号変換手段）２１４と、ユーザ情報テーブル１５と、ＳＩＰサーバ（保留転送手段）２２０と、携帯内線ＧＷ（保留転送手段）２４０と、ＰＢＸ（保留転送手段）２５０と、インタフェイス群６０とを含んで構成されている。
【０１１３】
第１保留信号作成部２１４は、携帯電話１１から発信される保留特番を検知し、保留信号に変換する部分である。また、第１保留信号作成部２１４は、後述するユーザ情報テーブル１５から対応情報を読み出して、携帯電話番号に対応する内線番号、あるいは、内線番号に対応する携帯電話番号に変換する部分である。
【０１１４】
ＳＩＰサーバ２２０は、第１保留信号作成部２１４において変換された保留信号の受信を契機として、携帯電話１１との接続を保留させると共に、第１端末に対して保留ステータス信号を送信する部分である。また、ＳＩＰサーバ２２０は、携帯ＮＷ網、あるいは、携帯内線ＧＷ２４０を呼び出してつなぐＩＰ呼制御を実行する部分である。
【０１１５】
携帯内線ＧＷ２４０は、第２保留信号作成部２４１とＶｏＩＰ−ＧＷ２４２とを有している。第２保留信号作成部２４１は、ＳＩＰサーバ２２０から第２呼を検知し、保留信号に変換する部分である。なお、第２保留信号作成部２４１は、第１端末及び第２端末がＰＢＸ２５０配下にある構内電話５１及び構内電話５２である場合に動作する。ＶｏＩＰ−ＧＷ１４２は、ＩＰルータ網３０とＰＢＸ２５０とを橋渡しする部分である。具体的には、ＩＰルータ網３０で転送される音声パケットとＰＢＸ２５０で転送されるデジタル符号化された音声トラフィックとを相互に変換する。
【０１１６】
ＰＢＸ２５０は、第２保留信号作成部２４１において変換された保留信号の受信を契機として、携帯電話１１との接続を保留させると共に、第１端末に対して保留ステータス信号を送信する部分である。なお、第２保留信号作成部２４１は、常に同一発ＩＤからの第２呼目の受付状態にあるが、第１端末及び第２端末がＰＢＸ２５０配下にある構内電話５１及び構内電話５２である場合に動作する。また、ＰＢＸ２５０は、ＶｏＩＰ−ＧＷ２４２からの信号を受信した場合には、内線交換処理を実行する。
【０１１７】
以上、本実施形態の通信システム２０１は、携帯電話１１と通話中の第１端末が、携帯ＮＷ網１０の配下にある携帯電話１２であるか、ＰＢＸ２５０配下の構内電話５１，５２であるかによって動作が異なる。以下、通信システム２０１における保留転送の処理内容について、第１端末が携帯電話１２、第２端末が構内電話５１の場合（ケース１）、第１端末が構内電話５１、第２端末が携帯電話１２の場合（ケース２）、第１端末が構内電話５１、第２端末が構内電話５２の場合（ケース３）に分けて説明する。
【０１１８】
なお、後述する保留信号とは、受信先の機器等を保留状態させる信号、保留ステータスとは、送信先の機器等が保留状態であることを知らせるための信号をいう。
【０１１９】
◆ケース１：第１端末が携帯電話１２、第２端末が構内電話５１の場合
【０１２０】
ここでは、図１４を用いて、携帯電話１２と通話中の携帯電話１１が、構内電話５１に保留転送する場合について説明する。
【０１２１】
最初に、携帯電話１１は、保留特番（ＤＴＭＦ）を発信する（ステップＳ２０１）と共に第２呼入力を受け付ける保留状態となる。第１保留信号作成部２１４は、ステップＳ２０１において発信された保留特番を検出する（ステップＳ２０２：保留特番受信ステップ）。
【０１２２】
次に、第１保留信号作成部２１４は、保留特番を保留信号に変換し、ＳＩＰサーバ２２０に送信する（ステップＳ２０３：保留信号変換ステップ）。ＳＩＰサーバ２２０は、ステップＳ２０３において送信された保留信号を受信して、ＳＩＰサーバ２２０における保留処理を実行する（ステップＳ２０４）。次に、ＳＩＰサーバ２２０は、携帯電話１２に対して保留ステータスを送信する（ステップＳ２０５）。携帯電話１２は、ステップＳ２０５において送信された保留ステータスの受信を契機として保留音が流される（ステップＳ２０６）。
【０１２３】
ここで、携帯電話１１は、転送先である内線端末の内線番号の入力を受け付け、第２呼発信を実行する（ステップＳ２０７：以下、ステップＳ２２０まで保留転送ステップ）。このとき、携帯電話１１における発ＩＤは「０９０」で始まる携帯番号、着ＩＤは内線番号である。ＭＧＣ１３は、携帯ＮＷ網用のデータからＩＰルータ網用のデータへの変換を実行し（ステップＳ２０８）、ステップＳ２０７において発信された第２呼発信を第１保留信号作成部２１４へ送信する（ステップＳ２０９）。
【０１２４】
次に、第１保留信号作成部２１４は、第２呼発信の発ＩＤを内線番号に変換する（ステップＳ２１０）。これにより、第２呼発信の発ＩＤと着ＩＤとは共に内線番号となった状態でＳＩＰサーバ２２０に転送される（ステップＳ２１１）。次に、ＳＩＰサーバ２２０は、第２呼発信を後述する携帯内線ＧＷ２４０を呼び出してつなぐＩＰ呼制御を実行し（ステップＳ２１２）、携帯内線ＧＷ２４０を構成するＶｏＩＰ−ＧＷ２４２に送信する（ステップＳ２１３）。次に、ＶｏＩＰ−ＧＷ２４２は、ＳＩＰからＳＩＰ又は回線交換変換を実行し（ステップＳ２１４）、第２呼発信をＰＢＸ２５０に転送する（ステップＳ２１５）。
【０１２５】
次に、ＰＢＸ２５０は、ステップＳ２１５におけるＶｏＩＰ−ＧＷ２４２からの信号を受信して、内線交換処理を実行する（ステップＳ２１６）。これにより、第２呼発信は、構内電話５１に転送され（ステップＳ２１７）、携帯電話１１と構内電話５１とが接続される（ステップＳ２１８）。ここで、ＰＢＸ２５０における携帯電話１１との接続を切断し、保留処理を解除する（ステップＳ２１９）ことにより、構内電話５１と構内電話５２とが接続される（ステップＳ２２０）。
【０１２６】
以上、ステップＳ２０１〜ステップＳ２２０の保留転送処理が実行されることによって、携帯電話１２と通話中の携帯電話１１を構内電話５１に保留転送し、携帯電話１２と構内電話５１とを接続することができる。
【０１２７】
◆ケース２：第１端末が構内電話５１、第２端末が携帯電話１２の場合
【０１２８】
ここでは、図１５、図１６を用いて、構内電話５１と通話中の携帯電話１１が、携帯電話１２に保留転送する場合について説明する。
【０１２９】
図１５に示すように、最初に、携帯電話１１は、保留特番（ＤＴＭＦ）を発信する（ステップＳ２２１）と共に第２呼入力を受け付ける保留状態となる。第１保留信号作成部２１４は、ステップＳ２２１において発信された保留特番を検出する（ステップＳ２２２：保留特番受信ステップ）。
【０１３０】
次に、第１保留信号作成部２１４は、保留特番を保留信号に変換し、ＳＩＰサーバ２２０に送信する（ステップＳ２２３：保留信号変換ステップ）。ＳＩＰサーバ２２０は、ステップＳ２２３において送信された保留信号を受信して、ＳＩＰサーバ２２０における保留処理を実行する（ステップＳ２２４）。次に、ＳＩＰサーバ２２０は、構内電話５１に対して保留ステータスを実行させる（ステップＳ２２５）。構内電話５１は、ステップＳ２２５において発信された保留ステータスの受信を契機として保留音が流される（ステップＳ２２６）。
【０１３１】
ここで、携帯電話１１は、転送先である携帯電話１２の内線番号の入力を受け付け、第２呼発信を実行する（ステップＳ２２７：以下、ステップＳ２４０まで保留転送ステップ）。このとき、携帯電話１１における発ＩＤは「０９０」で始まる携帯番号、着ＩＤは内線番号である。ＭＧＣ１３は、携帯ＮＷ網用のデータからＩＰルータ網用のデータへの変換を実行し（ステップＳ２２８）、ステップＳ２２７において発信された第２呼発信を第１保留信号作成部２１４へ送信する（ステップＳ２２９）。次に、第１保留信号作成部２１４、第２呼発信の発ＩＤを内線番号に変換する（ステップＳ２３０）。これにより、第２呼発信の発ＩＤと着ＩＤとは共に内線番号となった状態でＳＩＰサーバ２２０に転送される(ステップＳ２３１)。
【０１３２】
次に、ＳＩＰサーバ２２０は、ステップＳ２３１において発信された第２呼発信を携帯ＮＷ網１０にある携帯電話（例えば、携帯電話１２）を呼び出してつなぐＩＰ呼制御を実行し（ステップＳ２３２）、第１保留信号作成部２１４に送信する（ステップＳ２３３）。次に、第１保留信号作成部２１４は、ステップＳ２３２におけるＩＰ呼処理を受けて、着ＩＤの内線番号を携帯番号に変換する（ステップＳ２３４）。これにより、第２呼発信の発ＩＤは内線番号、着ＩＤは携帯番号となった状態でＭＧＣ１３に送信される(ステップＳ２３５)。ＭＧＣ１３は、ステップＳ２３５において送信された第２呼発信を、ＩＰルータ網用のデータから携帯ＮＷ網用のデータへ変換し（ステップＳ２３６）、携帯電話１２へ送信する（ステップＳ２３７）。これにより、第２呼発信は、携帯電話１２に接続され、携帯電話１１と携帯電話１２とが接続される（ステップＳ２３８）。ここで、図１６に示すように、ＳＩＰサーバ２２０における携帯電話１１との接続を切断し、保留処理を解除する（ステップＳ２３９）ことにより、構内電話５１と携帯電話１２とが接続される（ステップＳ２４０）。
【０１３３】
以上、ステップＳ２２１〜ステップＳ２４０の保留転送処理が実行されることによって、構内電話５１と通話中の携帯電話１１を携帯電話１２に保留転送し、構内電話５１と携帯電話１２とを接続することができる。
【０１３４】
◆ケース３：第１端末が構内電話５１、第２端末が構内電話５２の場合
【０１３５】
ここでは、図１７、図１８を用いて、構内電話５１と通話中の携帯電話１１が、構内電話５２に保留転送する場合について説明する。
【０１３６】
図１７に示すように、最初に、携帯電話１１は、保留特番（ＤＴＭＦ）を発信する（ステップＳ２５１）と共に第２呼入力を受け付ける保留状態となる。第１保留信号作成部（第１保留信号作成手段）２１４は、ステップＳ２５１において発信された保留特番を検出する（ステップＳ２５２：保留特番受信ステップ）。
【０１３７】
次に、第１保留信号作成部２１４は、保留特番を保留信号に変換し、ＳＩＰサーバ２２０に送信する（ステップＳ２５３：保留信号変換ステップ）。ＳＩＰサーバ２２０は、ステップＳ２５３において送信された保留信号を受信して、ＳＩＰサーバ２２０における保留処理を実行する（ステップＳ２５４）。次に、ＳＩＰサーバ２２０は、構内電話５１に対して保留ステータスを送信する（ステップＳ２５５）。構内電話５１は、ステップＳ２５５において送信された保留ステータスの受信を契機として保留音が流される（ステップＳ２５６）。
【０１３８】
ここで、携帯電話１１は、転送先である構内電話５２の内線番号を入力し、第２呼発信を実行する（ステップＳ２５７：以下、ステップＳ２７７まで保留転送ステップ）。このとき、携帯電話１１における発ＩＤは「０９０」で始まる携帯番号、着ＩＤは内線番号である。ＭＧＣ１３は、携帯ＮＷ網用のデータからＩＰルータ網用のデータへの変換を実行し（ステップＳ２５８）、ステップＳ２５７において発信された第２呼発信を第１保留信号作成部２１４へ送信する（ステップＳ２５９）。
【０１３９】
次に、第１保留信号作成部２１４は、第２呼発信の発ＩＤを内線番号に変換する（ステップＳ２６０）。これにより、第２呼発信の発ＩＤと着ＩＤとは共に内線番号となった状態でＳＩＰサーバ２２０に転送される（ステップＳ２６１）。次に、ＳＩＰサーバ２２０は、第２呼発信を携帯内線ＧＷ２４０を呼び出してつなぐＩＰ呼制御を実行し（ステップＳ２６２）、携帯内線ＧＷ２４０を構成する第２保留信号作成部（第２保留信号作成手段）２４１に送信する（ステップＳ２６３）。
【０１４０】
次に、第２保留信号作成部２４１は、ステップＳ２６３において送信された携帯電話１１からの第２呼発信を検出し（ステップＳ２６４）、保留信号をＰＢＸ２５０に向け送信する（ステップＳ２６５）。ＰＢＸ２５０は、ステップＳ２６５において送信された保留信号を受信すると、ＰＢＸ２５０における保留処理を実行する（ステップＳ２６６）。次に、ＰＢＸ２５０は、構内電話５１に対して保留ステータスを送信する（ステップＳ２６７）。
【０１４１】
ここで、第２保留信号作成部２４１は、ステップＳ２６４において受信した第２呼発信をＶｏＩＰ−ＧＷ２４２に向けて送信する（ステップＳ２６８）。次に、第２呼発信を受信したＶｏＩＰ−ＧＷ２４２は、ＳＩＰからＳＩＰ又は回線交換変換を実行し（ステップＳ２６９）、第２呼発信をＰＢＸ２５０に送信する（ステップＳ２７０）。
【０１４２】
次に、ＰＢＸ２５０は、ステップＳ２７０において送信された信号を受信して、内線交換処理を実行する（ステップＳ２７１）。なお、ステップＳ２７１では、ステップＳ２６６によって携帯電話１１との接続を記憶しているので、同じ携帯電話１１から同じ発ＩＤの第２呼を受信しても、その受信が不正呼とみなされることはない。これにより、第２呼発信は、構内電話５２に送信され（ステップＳ２７２）、携帯電話１１と構内電話５２とが接続される（ステップＳ２７３）。ここで、ＳＩＰサーバ２２０における携帯電話１１との接続を切断し、保留処理を解除する（ステップＳ２７４）ことにより、ＳＩＰサーバ２２０を介して構内電話５１と構内電話５２とが接続される（ステップＳ２７５）。次に、ＰＢＸ２５０におけるＳＩＰサーバ２２０との接続を切断し、保留処理を解除する（ステップＳ２７６）ことにより、構内電話５２と構内電話５１とがＰＢＸ２５０を介して接続される（ステップＳ２７７）。
【０１４３】
以上、ステップＳ２５１〜ステップＳ２７７の保留転送処理が実行されることによって、構内電話５１と通話中の携帯電話１１を構内電話５２に保留転送し、構内電話５１と構内電話５２とを接続することができる。
【０１４４】
上記実施形態の通信システム２０１及び通信方法によれば、携帯電話１１から発信される保留特番が、携帯ＮＷ網網１０とＩＰルータ網３０との間で検知され保留信号に変換される。携帯電話１１は、保留信号を受信したＳＩＰサーバ２２０やＰＢＸ２５０によって、携帯電話１１との接続が保留される。この結果、従来、携帯電話１１から保留信号を発信することができなかったため実現できなかった保留転送機能が、上記実施形態の通信システム２０１及び通信方法で実現することが可能となる。
【０１４５】
また、上記実施形態の通信システム２０１及び通信方法によれば、携帯電話１１と構内電話５２とが移動通信網内の交換機能により保留されている等、ＰＢＸの保留機能を使うことなく保留されている場合であっても、第２保留信号作成部２４１が、携帯電話１１からの第２呼検知を契機として、ＰＢＸ２５０を保留状態とさせた後に、携帯電話１１と構内電話５２が接続される。このため、ＰＢＸ２５０が保留状態にある発ＩＤと同じ携帯電話１１から発信された第２呼を検知しても、第２呼を受信した際、不正呼として切断してしまうことを回避することができる。
【０１４６】
なお、ここでいうＰＢＸ２５０における保留処理とは、第２呼を不正呼として処理しないために、接続元と接続先とを記憶することをいう。
【符号の説明】
【０１４７】
１…通信システム、１１…携帯電話、１１ａ…保留特番発信部、１２…携帯電話、１４…第１保留信号作成部、１５…ユーザ情報テーブル、２０…ＳＩＰサーバ、３０…ＩＰルータ網、４０…携帯内線ＧＷ、４１…ＶｏＩＰ−ＧＷ、４２…第２保留信号作成部、５０…ＰＢＸ、５１…構内電話、５２…構内電話、６０…インタフェイス群、６１…ＰＳＴＮ、１０１…通信システム、１１４…第１保留信号作成部、１２０…ＳＩＰサーバ、１４０…携帯内線ＧＷ、１４１…第２保留信号作成部、１４２…ＶｏＩＰ−ＧＷ、１５０…ＰＢＸ、２０１…通信システム、２１４…第１保留信号作成部、２２０…ＳＩＰサーバ、２４０…携帯内線ＧＷ、２４１…第２保留信号作成部、２４２…ＶｏＩＰ−ＧＷ、２５０…ＰＢＸ。
【図１】
2010252024.tif 000003
【図２】
2010252024.tif 000004
【図３】
2010252024.tif 000005
【図４】
2010252024.tif 000006
【図５】
2010252024.tif 000007
【図６】
2010252024.tif 000008
【図７】
2010252024.tif 000009
【図８】
2010252024.tif 000010
【図９】
2010252024.tif 000011
【図１０】
2010252024.tif 000012
【図１１】
2010252024.tif 000013
【図１２】
2010252024.tif 000014
【図１３】
2010252024.tif 000015
【図１４】
2010252024.tif 000016
【図１５】
2010252024.tif 000017
【図１６】
2010252024.tif 000018
【図１７】
2010252024.tif 000019
【図１８】
2010252024.tif 000020